(57)【要約】【課題】  ガラス板を部分的に割った開口部からの不正侵入者による解錠作業を困難にすることにより、クレセント錠の防犯性能を向上する。【解決手段】  本発明は、室外引き戸４の縦枠７に設けられた受け部材１２と、室外引き戸４の縦枠７に重合する室内引き戸３の縦枠６に当該引き戸３，４の走行方向の軸心Ｘ回りに回動自在に設けられたクレセント部材１４とを備え、このクレセント部材１４を回動操作して同部材１４を受け部材１２に引っ掛けることにより、室内外の両引き戸３，４を施錠するクレセント錠に関し、室内外方向の軸心Ｙ回りに回動自在となるように室内引き戸３の縦枠６に設けられた操作部材１５と、この操作部材１５の回動運動をクレセント部材１４の回動運動に変換する連動機構３７と、操作部材１５に室内側から着脱可能な操作つまみ１６とを備えている。【選択図】図１
2008002249.tif 000002
【特許請求の範囲】
【請求項１】
室外引き戸の縦枠に設けられた受け部材と、前記室外引き戸の縦枠に重合する室内引き戸の縦枠に当該引き戸の走行方向の軸心回りに回動自在に設けられたクレセント部材とを備え、このクレセント部材を回動操作して同部材を前記受け部材に引っ掛けることにより、室内外の前記両引き戸を施錠するクレセント錠において、
室内外方向の軸心回りに回動自在となるように前記室内引き戸の縦枠に設けられた操作部材と、この操作部材の回動運動を前記クレセント部材の回動運動に変換する連動機構と、前記操作部材に室内側から着脱可能な操作つまみとを備えていることを特徴とするクレセント錠。
【請求項２】
前記連動機構は、前記クレセント部材に形成されたベベルギアよりなる従動ギア部と、この従動ギア部に噛合するように前記操作部材に形成されたベベルギアよりなる駆動ギア部とから構成されている請求項１に記載のクレセント錠。
【請求項３】
前記クレセント部材及び前記操作部材が前記室内引き戸の縦枠に設けられた中空のハウジング内に収納されている請求項１又は２に記載のクレセント錠。
【請求項４】
室外引き戸の縦枠に設けられた受け部材と、前記室外引き戸の縦枠に重合する室内引き戸の縦枠に当該引き戸の走行方向の軸心回りに回動自在に設けられたクレセント部材とを備え、このクレセント部材を回動操作して同部材を前記受け部材に引っ掛けることにより、室内外の前記両引き戸を施錠するクレセント錠において、
室内側から着脱自在な操作つまみを室内側方向の軸心回りに回動操作することにより、前記クレセント部材が回動操作されることを特徴とするクレセント錠。
【請求項５】
室外引き戸の縦枠に設けられた受け部材と、前記室外引き戸の縦枠に重合する室内引き戸の縦枠に当該引き戸の走行方向の軸心回りに回動自在に設けられたクレセント部材とを備え、このクレセント部材を回動操作して同部材を前記受け部材に引っ掛けることにより、室内外の前記両引き戸を施錠するクレセント錠において、
前記クレセント部材が前記室内引き戸の縦枠に設けられた中空のハウジング内に収納されており、このハウジングに挿脱自在な操作つまみにより前記クレセント部材が回動操作されることを特徴とするクレセント錠。
【発明の詳細な説明】
【技術分野】
【０００１】  本発明は、引き戸装置の施錠に適したクレセント錠に関する。
【背景技術】
【０００２】  住宅の窓部やバルコニーに設置されているアルミサッシ等よりなる引き戸装置には、その引き戸装置を施錠するためのクレセント錠が設けられている。
このクレセント錠は、通常、引き戸装置を構成する室外引き戸の縦枠に設けられた受け部材と、その室外引き戸とともに引き戸装置を構成しかつ当該室外引き戸の縦枠に重合する室内引き戸の縦枠に枢着されたレバー付きのクレセント部材とからなり、このクレセ部材のレバーを上方に回動操作して当該クレセント部材の掛止爪を受け部材に引っ掛けることにより、室内外の両引き戸を施錠できるようになっている。【０００３】  しかし、かかる通常のクレセント錠はクレセント部材のレバーを下方に回動するだけで簡単に解錠できるため、家屋内に不正に侵入しようとする者がクレセント錠の近傍のガラス板を局部的に割ってサッシの一部を開口させ、その開口部から手を入れてクレセント部材のレバーを下方に回動して解錠することにより、不正侵入者が室内に容易に侵入することができるという問題がある。【０００４】  そこで、かかる不都合を回避すべく、クレセント錠のクレセント部材を上から覆う湾曲したカードカバーを室内引き戸の縦枠に取り付け、このガードカバーで不正侵入者がクレセント部材のレバーを回動操作するのを防止するようにした防犯用のクレセント錠が知られている（特許文献１参照）。
【特許文献１】  特開平９−７８９０１号公報
【発明の開示】
【発明が解決しようとする課題】
【０００５】  上記従来の防犯用のクレセント錠では、室内引き戸の縦枠から突設したガードカバーでクレセント部材を上方から覆っているだけであるから、例えば不正侵入者が、クレセント錠の近傍のガラス板を局部的に割って形成した開口部から比較的細い工具を差し込み、この工具の先端部でクレセント部材のレバーを下方に回動させるようにすれば、依然として、クレセント錠を比較的簡単に解錠できるという欠点がある。
そこで、本発明の課題は、ガラス板を部分的に割った開口部からの不正侵入者による解錠作業を困難にすることにより、クレセント錠の防犯性能を向上する点にある。
【課題を解決するための手段】
【０００６】  上記課題を達成すべく、本発明は次の解決手段を講じた。
すなわち、上記課題を解決する第一の本発明は、室外引き戸の縦枠に設けられた受け部材と、前記室外引き戸の縦枠に重合する室内引き戸の縦枠に当該引き戸の走行方向の軸心回りに回動自在に設けられたクレセント部材とを備え、このクレセント部材を回動操作して同部材を前記受け部材に引っ掛けることにより、室内外の前記両引き戸を施錠するクレセント錠において、室内外方向の軸心回りに回動自在となるように前記室内引き戸の縦枠に設けられた操作部材と、この操作部材の回動運動を前記クレセント部材の回動運動に変換する連動機構と、前記操作部材に室内側から着脱可能な操作つまみとを備えていることを特徴とする。【０００７】  上記した第一の本発明によれば、操作部材に室内側から装着した操作つまみで操作部材を施錠側に回動させると、この操作部材の回動運動が連動機構によってクレセント部材の回動運動に変換され、このクレセント部材が受け部材に引っ掛かって室内外の両引き戸が施錠される。また、クレセント錠を解錠するには、操作つまみにより、上記とは逆の解錠側に操作部材を回動させればよい。【０００８】  このように、本発明では、室内側から着脱自在な操作つまみを室内外方向の軸心回りに回動操作することにより、クレセント部材が回動操作されるようになっているので、施錠後に操作つまみを外しておけばクレセント部材を回動操作できなくなり、クレセント錠を解錠することができない。
このため、不正侵入者がクレセント錠の近傍のガラス板を局部的に割って形成した開口部から比較的細い工具を差し込んでも、この工具の先端部でクレセント部材を回動操作するのが非常に困難になり、この点でクレセント錠の防犯性能が向上する。【０００９】  本発明において、前記連動機構の具体的構造は特に限定されるものではないが、前記クレセント部材に形成されたベベルギアよりなる従動ギア部と、この従動ギア部に噛合するように前記操作部材に形成されたベベルギアよりなる駆動ギア部とから構成することが好ましい。
この場合、互いに噛合する二つのベベルギアだけで前記連動機構を構成することができるので、当該連動機構を最小限の部品点数で構成でき、クレセント錠をコンパクトかつ安価に製作できるという利点がある。【００１０】  また、本発明において、前記クレセント部材及び前記操作部材は、前記室内引き戸の縦枠に設けられた中空のハウジング内に収納されていることが好ましい。
この場合、クレセント部材と操作部材とがハウジングで被覆されるので、これらの部材が外部に露出している場合に比べて、不正侵入者が操作つまみ以外の工具等でクレセント部材を解錠させることがよりいっそう困難になり、この点でクレセント錠の防犯性能をより向上させることができる。【００１１】  前記課題を解決する第二の本発明は、室外引き戸の縦枠に設けられた受け部材と、前記室外引き戸の縦枠に重合する室内引き戸の縦枠に当該引き戸の走行方向の軸心回りに回動自在に設けられたクレセント部材とを備え、このクレセント部材を回動操作して同部材を前記受け部材に引っ掛けることにより、室内外の前記両引き戸を施錠するクレセント錠において、前記クレセント部材が前記室内引き戸の縦枠に設けられた中空のハウジング内に収納されており、このハウジングに挿脱自在な操作つまみにより前記クレセント部材が回動操作されることを特徴とする。【００１２】  上記した第二の本発明によれば、クレセント部材が室内引き戸の縦枠に設けられた中空のハウジングに収納されており、このハウジングに挿脱自在な操作つまみによりクレセント部材が回動操作されるようになっているので、施錠後に操作つまみを外しておけばクレセント部材を回動操作できなくなり、クレセント錠を解錠することができない。
このため、不正侵入者がクレセント錠の近傍のガラス板を局部的に割って形成した開口部から比較的細い工具を差し込んでも、この工具の先端部で操作部材を回動操作するのが非常に困難になり、この点でクレセント錠の防犯性能が向上する。
【発明の効果】
【００１３】  以上の通り、本発明によれば、ガラス板を部分的に割った開口部からの不正侵入者によるクレセント錠の解錠作業を困難にすることができるので、クレセント錠の防犯性能を向上することができる。
【発明を実施するための最良の形態】
【００１４】  以下、図面に基づいて本発明の一実施形態について説明する。
図４は、本発明に係るクレセント錠を採用した引き戸装置１の一例を示している。
本実施形態の引き戸装置１は、建物の壁部の開口部分に嵌め込まれたアルミ合金製のサッシ枠２と、このサッシ枠２内に左右水平方向に走行自在に嵌め込まれた室内引き戸３及び室外引き戸４と、これらの両引き戸３，４同士を互いに引き付けてロックする本施錠のためのクレセント錠５とから主構成されている。【００１５】  このうち、室内外の両引き戸３，４は、それぞれ、左右一対の縦枠６，６（又は７，７）の上端同士及び下端同士をそれぞれ上枠８及び下枠９で互いに連結してなる中空アルミ合金製のフレームと、このフレーム内にゴムパッキン（図示せず）を介して水密状に固定されたガラス板１０とから構成されている。
図１及び図２に示すように、本実施形態のクレセント錠５は、上記両引き戸３，４の閉塞時に、室内外方向で互いに重合する各縦枠６，７に取り付けられている。【００１６】  すなわち、このクレセント錠５は、室外引き戸４の縦枠７に設けられた受け部材１２と、室内引き戸３の縦枠６に取り付けられた中空のハウジング１３と、このハウジング１３内に収納されたクレセント部材１４及び操作部材１５と、この操作部材１５に対して同軸心状に着脱可能な操作つまみ１６とを備えている。
図２に示すように、上記受け部材１２は、室外引き戸４の縦枠７の内周面から、当該引き戸４の走行方向左側に突設されており、フック状に折れ曲がった被掛止部１８をその突出端部に備えている。【００１７】  本実施形態のハウジング１３は、側面視ほぼＤ字状でかつ平面視ほぼ正方形状の中空体よりなり、室内側の室内壁部１３Ａと、室外側の室外壁部１３Ｂと、引き戸３，４の走行方向左側の左壁部１３Ｌと、同方向右側の右壁部１３Ｒとを備えている。
この各壁部１３Ａ〜１３Ｒのうち、室内壁部１３Ａの上下部がアール状に湾曲形成されており（図３（ａ）参照）、これによってハウジング１３の側面形状がほぼＤ字状に形成されている。また、ハウジング１３は、その右壁部１３Ｒを室内引き戸３の縦枠６の外縁面（図２において縦枠６の左側の面）に当接させた状態で、当該縦枠６に取り付けられている。【００１８】  ハウジング１３の室外壁部１３Ｂには開口窓１９が形成され、この開口窓１９から、後述するクレセント部材１４の掛止爪３０が室外側に向かって外部に出退するようになっている。また、ハウジング１３の室内壁部１３Ａには円筒形状の収納筒部２０が形成され、この筒部２０の内部に、後述する操作部材１５のつまみ連結部３６が当該筒部２０に対して同軸心状に収納されている。
図２及び図３に示すように、ハウジング１３の内部には、前記クレセント部材１４と操作部材１５の双方を回動自在に支持する取付ベース２１が収納されている。【００１９】  この取付ベース２１は、平面視ほぼＬ字状に屈曲形成された金属製の板材よりなり、室内外方向（図２の上下方向）に向く第一プレート２２と、引き戸３，４の走行方向（図２の左右方向）に向く第二プレート２３とを備えている。
取付ベース２１の第一プレート２２は、ハウジング１３の右壁部１３Ｒの内面に当接した状態で、当該右壁部１３Ｒとともに室内引き戸３の縦枠６の外縁面に取付ねじ２４によってねじ止めされている。また、この第一プレート２２には、クレセント部材１４の枢着部分となる取付台座２５が切り起こし形成されている。【００２０】  他方、取付ベース２１の第二プレート２３には、後述する操作部材１５の回動軸３４を回動自在に両端支持するための軸支プレート２６が一体に屈曲形成されている。この軸支プレート２６は、第二プレート２３よりも室内側に一定距離だけ離れかつ同プレート２３に対して平行な状態で配置されている。
図１〜図３に示すように、本実施形態のクレセント部材１４は、ほぼ円盤状の回動基板２９と、この回動基板２９の外周部分から室外側に突出する掛止爪３０と、その回動基板２９における掛止爪３０の形成部分とは異なる外周部分に形成された、ベベルギアよりなる従動ギア部３１とを一体に備えている。【００２１】  このうち、回動基板２９は、その中心部を貫通しかつ引き戸３，４の走行方向（図２の左右方向）に向く枢着ピン３２を介して、前記取付ベース２１の取付台座２５に枢着されている。このため、クレセント部材１４は、引き戸３，４の走行方向の軸心Ｘ回りに回動自在となるように室内引き戸３の縦枠６に設けられている。
上記クレセント部材１４の掛止爪３０は、側面視ほぼ扇形状に湾曲形成され、回動基板２９の施錠方向（図１（ａ）の矢印方向）への回動に伴って、受け部材１２のフック状の被掛止部１８に入り込むようになっている。また、クレセント部材１４の従動ギア部３１は、回動基板２９に対して引き戸３，４の走行方向右側にほぼ４５度で傾斜した複数のギア歯を備えている。【００２２】  図２及び図３に示すように、本実施形態の操作部材１５は、第二プレート２３と軸支プレート２６の間に収容された回動軸３４と、この回動軸３４の室外側よりに固定されたベベルギアよりなる駆動ギア部３５と、その回動軸３４の室内側端部に外嵌状に取り付けられた筒状のつまみ連結部３６とを備えている。
上記回動軸３４は、その軸心Ｙを室内外方向に向けた状態で第二プレート２３と軸支プレート２６に両端支持されており、これにより、当該操作部材１５が、室内外方向の軸心Ｙ回りに回動自在となるように室内引き戸３の縦枠６に設けられている。また、操作部材１５の駆動ギア部３５は、前記クレセント部材１４の従動ギア部３１に直接噛合するように、室内側に向かってほぼ４５度で傾斜した複数のギア歯を備えている。【００２３】  このため、操作部材１５がその軸心Ｙ回りに回動すると、その駆動ギア部３５と噛合するクレセント部材１４の従動ギア部３１が連動して回動し、これによってクレセント部材１４がその軸心Ｘ回りに回動する。
このように、本実施形態では、クレセント部材１４の従動ギア部３１と操作部材１５の駆動ギア部３５とから、当該操作部材１５の回動運動をクレセント部材１４の回動運動に変換する連動機構３７が構成されている。【００２４】  操作部材１５のつまみ連結部３６は、その外周面に複数の突条よりなるスプラインを備えており、ハウジング１３の収納筒部２０の内部に同軸心状に収納されている。
前記操作つまみ１６は、上記つまみ連結部３６の外周面にスプライン嵌合して着脱自在に連結可能な筒状の連結ボス部３９と、この連結ボス部３９の外端部から径外方向に突出する板状のつまみ部４０とを備えている（図１参照）。【００２５】  次に、図１を参照しつつ、上記構成に係るクレセント錠５の使用方法と作用について説明する。
図１（ａ）はクレセント錠５がアンロック状態の場合を示している。
このアンロック状態のクレセント錠５を施錠するには、図１（ａ）に示すように、操作つまみ１６の連結ボス部３９をハウジング１３の室内側面の収納筒部２０に挿通して操作部材１５のつまみ連結部３６にスプライン嵌合させ、これによって操作つまみ１６を操作部材１５に連結する。【００２６】  そして、操作つまみ１６を施錠方向（例えば右回り）に回動させると、操作部材１６がその回動軸３４回りに回動し、駆動ギア部３５と従動ギア部３１との噛み合いによってクレセント部材１４が軸心Ｘ回りの施錠方向（図１（ａ）の矢印方向）に回動する。
すると、図１（ｂ）に示すように、クレセント部材１４の掛止爪３０が室外引き戸４側の受け部材１２の被掛止部１８に引っ掛かり、これによって室内外の両引き戸３，４が施錠される。【００２７】  上記の施錠が完了すると、操作つまみ１６をハウジング１３の収納筒部２０から抜き取り、その抜き取った操作つまみ１６を引き戸装置１から離れた他の場所にしまっておくことにより、不正侵入者がクレセント錠５の操作部材１５を回動操作できないようにする。
なお、クレセント錠５を解錠する場合には、操作つまみ１６を再度ハウジング１３の収納筒部２０に挿通して操作部材１５に連結し、上記とは逆の方向に操作つまみ１６を回動させ、クレセント部材１４の掛止爪３０を受け部材１２の被掛止部１８から解除するようにすればよい。【００２８】  このように、本実施形態のクレセント錠５によれば、室内側から着脱自在な操作つまみ１６を室内外方向の軸心Ｙ回りに回動操作することにより、クレセント部材１４が回動操作される。また、クレセント部材１４が室内引き戸３の縦枠６に設けられた中空のハウジング１３に収納されており、このハウジング１３に挿脱自在な操作つまみ１６によりクレセント部材１４が回動操作される。
このため、施錠後に操作つまみ１６を取り外しておけばクレセント部材１４を回動操作できなくなり、クレセント錠５を解錠できなくなる。従って、不正侵入者がクレセント錠５の近傍のガラス板１０を局部的に割って形成した開口部から比較的細い工具を差し込んでも、この工具の先端部でクレセント部材１４や操作部材１５を回動操作するのが非常に困難になり、この点でクレセント錠５の防犯性能が向上する。【００２９】  また、本実施形態のクレセント錠５では、操作部材１５の回動運動をクレセント部材１４の回動運動に変換する連動機構３７を、互いに噛合する二つのベベルギア（従動ギア部３１と駆動ギア部３５）だけで構成しているので、当該連動機構３７を最小限の部品点数で構成することができ、クレセント錠５をコンパクトかつ安価に製作できるという利点もある。
なお、本発明は上記実施形態に限定されるものではなく、例えば、上記連動機構３７は二つのベベルギアの組合せだけでなく、その他のギア機構やカム機構等を採用することもできる。【００３０】  また、本発明のクレセント錠５は、クレセント部材１４や操作部材１５をハウジング１３で被覆しないで外部に露出させた構造であってもよいが、この場合には、埃やゴミが溜まると両者の連動に不具合が生じやすくなるので、当該ハウジング１３を設けた構造とすることが好ましい。
更に、上記ハウジング１３でクレセント部材１４を被覆する構造を採用する場合には、操作つまみ１６を挿脱する方向は室内外方向（図２の上下方向）だけに限らず、例えば、操作つまみ１６をハウジング１３の左壁部１３Ｌに対して引き戸３，４の走行方向に挿脱するようにしてもよい。
【図面の簡単な説明】
【００３１】
【図１】  本発明の一実施形態に係るクレセント錠の側面図であり、（ａ）はアンロック状態、（ｂ）はロック状態を示している。
【図２】  同クレセント錠の平面断面図である。
【図３】  （ａ）は同クレセント錠の拡大側面図であり、（ｂ）は同クレセント錠の拡大正面図である。
【図４】  同クレセント錠を採用した引き戸装置を室内側から見た正面図である。
【符号の説明】
【００３２】  １      引き戸装置
３      室内引き戸
４      室外引き戸
５      クレセント錠
６      縦枠（室内側）
７      縦枠（室外側）
１２      受け部材
１３      ハウジング
１４      クレセント部材
１５      操作部材
１６      操作つまみ
３１      従動ギア部
３５      駆動ギア部
３６      連動機構
【図１】
2008002249.tif 000003
【図２】
2008002249.tif 000004
【図３】
2008002249.tif 000005
【図４】
2008002249.tif 000006